(57)【要約】【課題】盛土などの地盤において遮水をさせようとする遮水領域に対し、その外部の外部領域から水が浸透することをより確実に防止して、水が溜まることによる遮水領域の脆弱化を防止し、かつ、このようにした場合でも、地盤排水構造の施工が容易かつ安価にできるようにする。【解決手段】地盤１において遮水をさせようとする遮水領域１７とこの遮水領域１７に水平方向で隣接する外部領域１８との間に埋め込まれて、上下方向に延びる縦向き排水材１９が設けられる。外部領域１８から遮水領域１７に向かうよう地中を流れる水Ｗが、縦向き排水材１９の内部に集水されて流下し、水Ｗが遮水領域１７の外部に向けて排水されるようにする。縦向き排水材１９と同構成の他の縦向き排水材２１，２２が設けられる。地盤１の平面視で、各縦向き排水材１９，２１，２２により遮水領域１７の少なくとも一部分が囲まれるようにする。【選択図】図１
2010127038.tif 000002
【特許請求の範囲】
【請求項１】
地盤において遮水をさせようとする遮水領域とこの遮水領域に水平方向で隣接する外部領域との間に埋め込まれて、上下方向に延びる縦向き排水材が設けられ、上記外部領域から遮水領域に向かうよう地中を流れる水が、上記縦向き排水材の内部に集水されて流下し、この水が上記遮水領域の外部に向けて排水されるようにした地盤排水構造において、
上記縦向き排水材と同構成の他の縦向き排水材が設けられ、上記地盤の平面視で、上記各縦向き排水材により上記遮水領域の少なくとも一部分が囲まれるようにしたことを特徴とする地盤排水構造。
【請求項２】
上記各縦向き排水材の少なくともいずれか１つが、予め所定形状に形成された形成品であることを特徴とする請求項１に記載の地盤排水構造。
【請求項３】
上記各縦向き排水材が互いに連通して、これら縦向き排水材のいずれか一方の内部から他方の内部に水が流入可能となるようにしたことを特徴とする請求項１、もしくは２に記載の地盤排水構造。
【請求項４】
上記遮水領域が盛土により形成されていることを特徴とする請求項１から３のうちいずれか１つに記載の地盤排水構造。
【請求項５】
上記各縦向き排水材の少なくともいずれか１つが面形状の排水材とされたことを特徴とする請求項１から４のうちいずれか１つに記載の地盤排水構造。
【請求項６】
上記各縦向き排水材の少なくともいずれか１つが、上記遮水領域側の面に対面する遮水材を備えたことを特徴とする請求項１から５のうちいずれか１つに記載の地盤排水構造。
【請求項７】
上記各縦向き排水材の少なくともいずれか１つが、互いに並設されるパイプ状排水材を備えたことを特徴とする請求項１から６のうちいずれか１つに記載の地盤排水構造。
【請求項８】
上記遮水領域の下方に隣接して上記地盤の一部を構成する下部領域と上記遮水領域との間に埋め込まれる横向き排水材が設けられ、この横向き排水材の一端部側である上記外部領域側に上記各縦向き排水材の少なくともいずれか１つの下部が連通する一方、他端部側が水平方向もしくは斜め下方に向かって、上記縦向き排水材から離れる方向に延出し、上記縦向き排水材を流下した水が上記横向き排水材をその一端部側から他端部側に流れ、この水が上記遮水領域の外部に向けて排水されるようにしたことを特徴とする請求項１から７のうちいずれか１つに記載の地盤排水構造。
【請求項９】
請求項１から４のうちいずれか１つに記載の地盤排水構造の施工方法であって、
上記遮水領域と外部領域との間にその上方から上記各縦向き排水材を埋め込むようにしたことを特徴とする地盤排水構造の施工方法。
【請求項１０】
請求項１から４のうちいずれか１つに記載の地盤排水構造の施工方法であって、
上記各縦向き排水材の少なくともいずれか１つを上下方向で複数の排水ブロックにより形成し、これら排水ブロックのうちの最下段である第１段の排水ブロックを縦向きに設置し、この排水ブロックの上端とほぼ同じ高さとなるよう上記遮水領域に盛土を設置し、次に、上記第１段の排水ブロック上に第２段の排水ブロックを縦向きに設置して、これら両排水ブロックの対向縁部同士を互いに連結し、上記第２段の排水ブロックの上端とほぼ同じ高さとなるよう上記遮水領域に盛土を設置し、以下、上記排水ブロックと盛土との設置を繰り返して、盛土の上端が所望高さになるまで、上記排水ブロックと盛土との設置を繰り返すことを特徴とする地盤排水構造の施工方法。
【発明の詳細な説明】
【技術分野】
【０００１】
本発明は、盛土などの地盤において遮水をさせようとする遮水領域に対し、その外部の外部領域からの水の浸透を抑制すると共に、遮水領域外への排水を促進させるようにする地盤排水構造、およびその施工方法に関するものである。
【背景技術】
【０００２】
降雨時には、宅地や道路などの地盤には水が溜まり易くなるが、このように水が溜まると、地盤が脆弱化することは経験的に知られている。そして、このように地盤が脆弱化すると、地滑りなどの崩壊が生じたり、地震発生時には地盤が液状化したりする、という不都合が生じがちとなる。
【０００３】
そこで、地盤に水が溜まることを防止するため、従来より地盤排水構造が提案されており、これには、従来、下記特許文献１に示されるものがある。この公報のものによれば、地盤において遮水をさせようとする遮水領域とこの遮水領域に水平方向で隣接する外部領域との間に埋め込まれて、上下方向に延びる縦向き排水材が設けられている。そして、上記外部領域から遮水領域に向かうよう地中を流れる水は、上記縦向き排水材の内部に集水されて流下し、この水が上記遮水領域の外部に向けて排水されることとされている。
【０００４】
また、上記従来の技術における排水材は砕石とされ、上記遮水領域である遮水性補強土層の側面と、外部領域である地山の崖面との間に、上記砕石が充填されて排水壁が形成されている。そして、上記したように、外部領域から遮水領域に向かうよう流れる水は上記排水壁の内部に集水されて流下し、その後、排水されるようになっている。
【特許文献１】特開２００４−２３２２３２号公報
【発明の開示】
【発明が解決しようとする課題】
【０００５】
ところで、地盤の平面視で、上記遮水領域と、この遮水領域に、ある一方向で隣接する外部領域との間にのみ、上記縦向き排水材が埋め込まれている場合には、例えば、上記一方向に直交する方向で上記遮水領域に隣接する他の外部領域から、上記遮水領域に向かうよう地中を流れる水はそのまま上記遮水領域に浸透して、ここに溜まり、この遮水領域を脆弱化させるおそれがある。
【０００６】
一方、上記したように従来の技術における排水材は砕石であるが、このような砕石は個々の形状や大きさが不均一である。このため、この砕石により排水壁を形成する場合、この排水壁の各部における空隙率や厚さ寸法を互いに均一にすることは容易でない。この結果、上記排水壁の各部における集水や、この集水後の水の流下の性能が不均一となって、上記遮水領域の各部への水の浸透の防止が不十分になるおそれがある。
【０００７】
そこで、上記排水壁の各部の厚さ寸法を全体的に大きくして、集水や水の流下の性能を全体的に向上させることが考えられる。しかし、このようにすると、砕石が多量に必要となって、上記排水壁の形成作業が煩雑かつ高価になり、つまり、地盤排水構造の施工が煩雑かつ高価になるおそれが生じる。
【課題を解決するための手段】
【０００８】
本発明は、上記のような事情に注目してなされたもので、本発明の目的は、盛土などの地盤において遮水をさせようとする遮水領域に対し、その外部の外部領域から水が浸透することをより確実に防止して、水が溜まることによる遮水領域の脆弱化を防止し、かつ、このようにした場合でも、地盤排水構造の施工が容易かつ安価にできるようにすることである。
【０００９】
請求項１の発明は、地盤１において遮水をさせようとする遮水領域１７とこの遮水領域１７に水平方向で隣接する外部領域１８との間に埋め込まれて、上下方向に延びる縦向き排水材１９が設けられ、上記外部領域１８から遮水領域１７に向かうよう地中を流れる水Ｗが、上記縦向き排水材１９の内部に集水されて流下し、この水Ｗが上記遮水領域１７の外部に向けて排水されるようにした地盤排水構造において、
上記縦向き排水材１９と同構成の他の縦向き排水材２１，２２が設けられ、上記地盤１の平面視で、上記各縦向き排水材１９，２１，２２により上記遮水領域１７の少なくとも一部分が囲まれるようにしたことを特徴とする地盤排水構造である。
【００１０】
請求項２の発明は、上記各縦向き排水材１９，２１，２２の少なくともいずれか１つが、予め所定形状に形成された形成品であることを特徴とする請求項１に記載の地盤排水構造である。
【００１１】
請求項３の発明は、上記各縦向き排水材１９，２１，２２が互いに連通して、これら縦向き排水材１９，２１，２２のいずれか一方の内部から他方の内部に水Ｗが流入可能となるようにしたことを特徴とする請求項１、もしくは２に記載の地盤排水構造である。
【００１２】
請求項４の発明は、上記遮水領域１７が盛土１０により形成されていることを特徴とする請求項１から３のうちいずれか１つに記載の地盤排水構造である。
【００１３】
請求項５の発明は、上記各縦向き排水材１９，２１，２２の少なくともいずれか１つが面形状の排水材とされたことを特徴とする請求項１から４のうちいずれか１つに記載の地盤排水構造である。
【００１４】
請求項６の発明は、上記各縦向き排水材１９，２１，２２の少なくともいずれか１つが、上記遮水領域１７側の面に対面する遮水材２７を備えたことを特徴とする請求項１から５のうちいずれか１つに記載の地盤排水構造である。
【００１５】
請求項７の発明は、上記各縦向き排水材１９，２１，２２の少なくともいずれか１つが、互いに並設されるパイプ状排水材３３を備えたことを特徴とする請求項１から６のうちいずれか１つに記載の地盤排水構造である。
【００１６】
請求項８の発明は、上記遮水領域１７の下方に隣接して上記地盤１の一部を構成する下部領域２９と上記遮水領域１７との間に埋め込まれる横向き排水材３０が設けられ、この横向き排水材３０の一端部側である上記外部領域１８側に上記各縦向き排水材１９，２１，２２の少なくともいずれか１つの下部が連通する一方、他端部側が水平方向もしくは斜め下方に向かって、上記縦向き排水材１９から離れる方向に延出し、上記縦向き排水材１９を流下した水が上記横向き排水材３０をその一端部側から他端部側に流れ、この水Ｗが上記遮水領域１７の外部に向けて排水されるようにしたことを特徴とする請求項１から７のうちいずれか１つに記載の地盤排水構造である。
【００１７】
請求項９の発明は、請求項１から４のうちいずれか１つに記載の地盤排水構造の施工方法であって、
上記遮水領域１７と外部領域１８との間にその上方から上記各縦向き排水材１９，２１，２２を埋め込むようにしたことを特徴とする地盤排水構造の施工方法である。
【００１８】
請求項１０の発明は、請求項１から４のうちいずれか１つに記載の地盤排水構造の施工方法であって、
上記各縦向き排水材１９，２１，２２の少なくともいずれか１つを上下方向で複数の排水ブロック２０により形成し、これら排水ブロック２０のうちの最下段である第１段の排水ブロック２０を縦向きに設置し、この排水ブロック２０の上端とほぼ同じ高さとなるよう上記遮水領域１７に盛土１０を設置し、次に、上記第１段の排水ブロック２０上に第２段の排水ブロック２０を縦向きに設置して、これら両排水ブロック２０，２０の対向縁部同士を互いに連結し、上記第２段の排水ブロック２０の上端とほぼ同じ高さとなるよう上記遮水領域１７に盛土１０を設置し、以下、上記排水ブロック２０と盛土１０との設置を繰り返して、盛土１０の上端が所望高さになるまで、上記排水ブロック２０と盛土１０との設置を繰り返すことを特徴とする地盤排水構造の施工方法である。
【００１９】
なお、この項において、上記各用語に付記した符号や図面番号は、本発明の技術的範囲を後述の「実施例」の項や図面の内容に限定解釈するものではない。
【発明の効果】
【００２０】
本発明による効果は、次の如くである。
【００２１】
請求項１の発明は、地盤において遮水をさせようとする遮水領域とこの遮水領域に水平方向で隣接する外部領域との間に埋め込まれて、上下方向に延びる縦向き排水材が設けられ、上記外部領域から遮水領域に向かうよう地中を流れる水が、上記縦向き排水材の内部に集水されて流下し、この水が上記遮水領域の外部に向けて排水されるようにした地盤排水構造において、
上記縦向き排水材と同構成の他の縦向き排水材が設けられ、上記地盤の平面視で、上記各縦向き排水材により上記遮水領域の少なくとも一部分が囲まれるようにされている。
【００２２】
このため、次の「主効果」が生じる。
【００２３】
即ち、上記遮水領域のうち、より確実な遮水が望まれる一部分については、この一部分を上記のように各縦向き排水材により囲めばよい。
【００２４】
このようにすれば、地盤の平面視で、上記外部領域から遮水領域の一部分に向かってさまざまな方向から地中を流れる水は、それぞれ上記各縦向き排水材の内部に集水されて流下させられた後、上記遮水領域の外部に向けて排水される。よって、水が上記遮水領域の一部分に浸透することが防止され、この一部分に水が溜まることによる脆弱化が防止される。この結果、上記遮水領域の一部分に地滑りなどの崩壊が生じたり、地震発生時に地盤が液状化したりする、ということが防止される。
【００２５】
請求項２の発明は、上記各縦向き排水材の少なくともいずれか１つが、予め所定形状に形成された形成品とされている。
【００２６】
このため、次の第１〜第３の「具体的効果」が生じる。
【００２７】
即ち、第１に、上記形成品とされた縦向き排水材の各部における空隙率や厚さ寸法を互いに均一にすることが容易にできる。よって、これら各縦向き排水材の各部における集水や、この集水後の水の流下の性能を均一にして、この水の排水ができるため、上記遮水領域の各部への水の浸透をより確実に防止することができる。
【００２８】
また、第２に、上記した遮水領域の各部への水の浸透の防止が無用に過度とならないよう上記縦向き排水材自体の仕様を定めたり、複数の縦向き排水材を準備して、これら縦向き排水材を水平方向、および／もしくは縦方向で所定間隔をあけて設置したりすることも容易にできる。そして、このようにすれば、上記遮水領域を、できるだけ最適含水状態にして、この遮水領域を好ましい強度に保持させることができる。
【００２９】
更に、第３に、上記縦向き排水材を、予め所望の大きさや、ある重さ以下に形成することができるため、その取り扱いが容易にできる。よって、この縦向き排水材を用いた地盤排水構造の施工は、精度良く容易かつ安価にできる。
【００３０】
請求項３の発明は、上記各縦向き排水材が互いに連通して、これら縦向き排水材のいずれか一方の内部から他方の内部に水が流入可能となるようにしている。
【００３１】
このため、上記外部領域から上記各縦向き排水材のいずれか一方の内部に集水された水は、この一方の内部から他方の内部に流入した後、上記遮水領域の外部に向けて排水可能とされる。よって、上記各縦向き排水材は上記水の排水につき互いに補完し合うことから、上記遮水領域に水が溜まることは、更に確実に防止されて、前記「主効果」が助長される。
【００３２】
請求項４の発明は、上記遮水領域が盛土により形成されている。
【００３３】
ここで、上記盛土は、地山の斜面部分に宅地造成などとして多用される工法であって、通常、地山に比べて脆弱性は高いものである。しかし、上記したように遮水領域は縦向き排水材により囲まれるため、上記遮水領域に水が溜まることは防止されて、その更なる脆弱化はより確実に防止される。
【００３４】
請求項５の発明は、上記各縦向き排水材の少なくともいずれか１つが面形状の排水材とされている。
【００３５】
このため、上記面形状とされた縦向き排水材は、その表面積を大きく採ることができる分、上記外部領域から遮水領域に向かう水の集水や排水がより効果的に行われ、前記「主効果」がより助長される。
【００３６】
請求項６の発明は、上記各縦向き排水材の少なくともいずれか１つが、上記遮水領域側の面に対面する遮水材を備えている。
【００３７】
このため、上記外部領域から遮水領域に向かう水の遮水は、上記遮水材により、より確実に行われて、前記「主効果」がより助長される。
【００３８】
請求項７の発明は、上記各縦向き排水材の少なくともいずれか１つが、互いに並設されるパイプ状排水材を備えている。
【００３９】
ここで、上記パイプ状排水材によれば、その径方向外方からの土圧に対し大きい強度を保持できて、その内孔を所定形状に保持させることが容易にできる。よって、上記パイプ状排水材で構成した縦向き排水材は、集水や排水の性能が良好に保たれる。
【００４０】
また、上記したパイプ状排水材は、所望強度を保持したままで断面積を大きくすることが容易にできる。このため、このパイプ状排水材は、面形状排水材と比較して、集水や排水のための断面積をより大きくすることができ、これにより、これら集水や排水をより促進させることができる。
【００４１】
請求項８の発明は、上記遮水領域の下方に隣接して上記地盤の一部を構成する下部領域と上記遮水領域との間に埋め込まれる横向き排水材が設けられ、この横向き排水材の一端部側である上記外部領域側に上記各縦向き排水材の少なくともいずれか１つの下部が連通する一方、他端部側が水平方向もしくは斜め下方に向かって、上記縦向き排水材から離れる方向に延出し、上記縦向き排水材を流下した水が上記横向き排水材をその一端部側から他端部側に流れ、この水が上記遮水領域の外部に向けて排水されるようにしている。
【００４２】
このため、上記縦向き排水材で集水され、流下させられた水は、上記した横向き排水材を通り排水される。よって、この横向き排水材によれば、前記縦向き排水材から排水れた水が遮水領域の外部に、より確実に排水されることから、遮水領域に水が溜まることが更に確実に防止されて前記「主効果」が助長される。
【００４３】
請求項９の発明は、請求項１から４のうちいずれか１つに記載の地盤排水構造の施工方法であって、
上記遮水領域と外部領域との間にその上方から上記各縦向き排水材を埋め込むようにしている。
【００４４】
このため、例えば、上記遮水領域と外部領域とが連続する地山である場合には、この地山を掘削するなどの作業をできるだけ不要として、上記各縦向き排水材を直接地盤に埋め込むことができる。よって、上記地盤排水構造の施工は、容易かつ安価にできる。一方、上記遮水領域が盛土である場合には、この遮水領域を設置した後に上記縦向き排水材の設置ができるため、これら両設置作業の互いの干渉を避けて、これら作業を個別にすることができる。よって、上記施工を容易にすることができる。
【００４５】
請求項１０の発明は、請求項１から４のうちいずれか１つに記載の地盤排水構造の施工方法であって、
上記各縦向き排水材の少なくともいずれか１つを上下方向で複数の排水ブロックにより形成し、これら排水ブロックのうちの最下段である第１段の排水ブロックを縦向きに設置し、この排水ブロックの上端とほぼ同じ高さとなるよう上記遮水領域に盛土を設置し、次に、上記第１段の排水ブロック上に第２段の排水ブロックを縦向きに設置して、これら両排水ブロックの対向縁部同士を互いに連結し、上記第２段の排水ブロックの上端とほぼ同じ高さとなるよう上記遮水領域に盛土を設置し、以下、上記排水ブロックと盛土との設置を繰り返して、盛土の上端が所望高さになるまで、上記排水ブロックと盛土との設置を繰り返すようにしている。
【００４６】
このため、上記排水ブロックを縦向きに設置すると共に、上記遮水領域に盛土を設置する場合、これら両設置作業は互いに干渉することなく順次円滑に進行できると共に、上記外部領域と盛土とにより上記排水ブロックを縦向き姿勢に順次保持させることができる。よって、上記施工方法によれば、上記施工は合理的かつ迅速に達成される。
【発明を実施するための最良の形態】
【００４７】
本発明の地盤排水構造に関し、盛土などの地盤において遮水をさせようとする遮水領域に対し、その外部の外部領域から水が浸透することをより確実に防止して、水が溜まることによる遮水領域の脆弱化を防止し、かつ、このようにした場合でも、地盤排水構造の施工が容易かつ安価にできるようにする、という目的を実現するため、本発明を実施するための最良の形態は、次の如くである。
【００４８】
即ち、地盤において遮水をさせようとする遮水領域とこの遮水領域に水平方向で隣接する外部領域との間に埋め込まれて、上下方向に延びる縦向き排水材が設けられる。また、上記外部領域から遮水領域に向かうよう地中を流れる水が、上記縦向き排水材の内部に集水されて流下し、この水が上記遮水領域の外部に向けて排水されるようにしている。上記縦向き排水材と同構成の他の縦向き排水材が設けられ、上記地盤の平面視で、上記各縦向き排水材により上記遮水領域の少なくとも一部分が囲まれるようにしている。
【実施例１】
【００４９】
本発明をより詳細に説明するために、その実施例１を添付の図１，２に従って説明する。
【００５０】
図１〜３において、符号１は地盤であって、この地盤１の主体は、自然のままの地山２の斜面部分３に相当している。この地山２の斜面部分３の一部分が切土されて凹部５が形成されている。この凹部５の底面６はほぼ水平に延び、この凹部５の地山２側の壁面７はほぼ鉛直に延びている。
【００５１】
上記斜面部分３における凹部５の形成により生じた切土と他からの搬入土により、上記底面６の上面に宅地用の盛土１０が形成されている。上記盛土１０の上面はほぼ水平に延び、宅地面とされている。また、上記盛土１０における地山２と反対側の側面はほぼ鉛直に延びている。この盛土１０の側面に沿うように、上記斜面部分３上に擁壁１１が立設されている。この擁壁１１により、上記盛土１０の土圧が支持されて、この盛土１０が所定形状に保持されている。
【００５２】
上記擁壁１１は、その側面断面視（図１）で、上記斜面部分３上に設置されたコンクリート製の基礎１２上に、上下方向に複数積み上げられるコンクリート製壁ブロック１３を備えている。これら各壁ブロック１３は互いにほぼ同形同大とされている。また、上下方向で、これら各壁ブロック１３は互いに係脱可能に係合する構造とされ、この係合により、上下に隣接する各壁ブロック１３同士が水平方向で互いに位置ずれする、ということは防止される。上記壁ブロック１３の基礎１２には、ほぼ水平方向に貫通するパイプ製の通水孔１３ａが形成されている。
【００５３】
上記したように上下方向に積み上げられた各壁ブロック１３同士の間に挟まれた位置から上記地山２側に向かって、ほぼ水平方向に延びると共に、上記盛土１０に埋設される補強材１４が設けられている。この構造は、いわゆる補強土壁工法といわれる工法によって形成されるもので、これら各補強材１４は、上記盛土１０を補強して、この盛土１０を所定形状に保持可能とする。上記各補強材１４の一端部は、上記各壁ブロック１３の上端にそれぞれ連結され、他端部側は、上記壁面７にまで延びている。
【００５４】
上記補強材１４は多孔性の可撓性シート材で構成され、通水性を有している。具体的には、上記補強材１４は、繊維性の網状体と、この網状体の表面にコーティングされる樹脂表皮とを備えたジオグリッドやジオテキスタイルといわれるもので構成される。なお、上記補強材１４は多孔性の不織布や金属製の補強材で構成してもよい。
【００５５】
上記盛土１０は、地盤１において遮水をさせようとする遮水領域１７とされている。上記斜面部分３の傾斜方向Ａにおいて、上記遮水領域１７とこの遮水領域１７に隣接する地山２である外部領域１８との間には、上下方向に延びる面形状の縦向き排水材１９（具体的には、板形状）が埋め込まれている。この縦向き排水材１９はほぼ鉛直に延びている。
【００５６】
また、地盤１の平面視で、上記傾斜方向Ａと直交する方向において、上記遮水領域１７とこの遮水領域１７に隣接する地山２である外部領域１８との間にも、上記縦向き排水材１９と同構成の他の縦向き排水材２１，２２が埋め込まれている。この場合、上記各縦向き排水材１９，２１，２２により上記遮水領域１７のほぼ全体が囲まれている。また、上記各縦向き排水材１９，２１，２２は、地盤１の平面視で互いに連続するよう配置され、かつ、互いに連通して、これら各縦向き排水材１９，２１，２２のいずれか一方１９の内部から他方２１，２２の内部に水Ｗが流入可能とされている。
【００５７】
なお、上記の場合、上記各縦向き排水材１９，２１，２２により上記遮水領域１７の一部分のみが囲まれるようにしてもよく、必要に応じ、上記他の縦向き排水材２１，２２のうち、いずれか一方の縦向き排水材２２は設置しなくてもよい。
【００５８】
上記各縦向き排水材１９，２１，２２は予め所定形状に形成された人工的な形成品である。これら各縦向き排水材１９，２１，２２は、それぞれその側面断面視（図２）で、上下方向に複数積み上げられ、互いに連通する排水ブロック２０を備えている。これら各排水ブロック２０は、全体として横長かつ縦向きの長方形板形状とされ、互いに同形同大とされている。これら各排水ブロック２０の高さ寸法は、上記擁壁１１の各壁ブロック１３の高さ寸法とほぼ同じとされている。また、上記各排水ブロック２０は、それぞれ上下方向で隣り合う両補強材１４，１４間に配置され、つまり、これら各補強材１４は、上記各排水ブロック２０同士の間に挟まれている。上下方向で隣り合う上記排水ブロック２０，２０の対向端部同士は上記補強材１４を介し、もしくは直接に連結紐などの連結具により互いに連結されている。
【００５９】
図４において、上記各排水ブロック２０は、横長かつ縦向きの長方形芯板材２３と、この芯板材２３の各面からそれぞれ一体的に突出して縦方向に延びる複数の帯板状突条体２４と、これら芯板材２３と突条体２４とを一体的に覆う袋形状の通水性カバー体２５とを備えている。
【００６０】
上記突条体２４は、上記芯板材２３の面方向かつ水平方向で等間隔に配置され、隣り合う両突条体２４，２４の間には縦方向に延びる排水溝２６が形成されている。また、上記芯板材２３には通水孔が形成されず、もしくは、通水孔がわずかに形成されるだけであって、非通水性の遮水材２７とされている。上記カバー体２５は、上記縦向き排水材１９の外部からの土砂により、上記排水溝２６が塞がれることを防止する。
【００６１】
上記芯板材２３と突条体２４とはポリプロピレン等の樹脂製であり、上記排水ブロック２０にその周りから与えられる土圧などの外力に対抗するよう十分の剛性と強度とを備えている。また、上記カバー体２５はポリプロピレン等の樹脂製であり、かつ、長繊維不織布製であり、十分な通水性を有している。
【００６２】
上記遮水領域１７の下方に隣接して上記地盤１の一部を構成する下部領域２９（凹部５の底面６）と、上記各縦向き排水材１９，２１，２２のそれぞれ最下段の排水ブロック２０との間には通水材かつ上記各排水ブロック２０の基礎材である砂れき２８が連続的に埋め込まれている。上記各最下段の排水ブロック２０と砂れき２８とは互いに連通し、上記排水ブロック２０の内部から砂れき２８の内部に水Ｗが流入可能とされている。また、この砂れき２８の上記擁壁１１側の端部は、上記通水孔１３ａを通し、遮水領域１７の外部に連通させられている。つまり、上記砂れき２８は、上記各縦向き排水材１９，２１，２２の一部である最下段を構成している。
【００６３】
なお、上記遮水領域１７と下部領域２９との間に、全体的に、上記砂れき２８、および／もしくは上記縦向き排水材１９のような形成品を設置し、これを横向き排水材３０としてもよい。この場合、この横向き排水材３０の一端部側である上記外部領域１８側に上記各縦向き排水材１９，２１，２２の下部が連通し、上記横向き排水材３０の他端部側は上記擁壁１１側に向かって、かつ、水平方向もしくは斜め下方に向かって上記各縦向き排水材１９，２１，２２から離れる方向に延出する。
【００６４】
そして、雨天時など、上記地山２の斜面部分３である外部領域１８から遮水領域１７に向かうよう地中を水Ｗが流れるとき、この水Ｗは、上記各縦向き排水材１９，２１，２２のカバー体２５を透過して、上記外部領域１８側の各排水溝２６に集水され、その自重により流下させられる。また、この流下により、上記各縦向き排水材１９，２１，２２の下端部に達した水Ｗは、上記砂れき２８（もしくは、形成品である横向き排水材３０を設けた場合には、そのカバー体２５を透過して、上面側の各排水溝２６）に集水され、その自重により流下させられる。また、この流下により、上記砂れき２８（横向き排水材３０）における擁壁１１側の端部に達した水Ｗは、上記通水孔１３ａを通り擁壁１１の外部、つまり、遮水領域１７の外部に排水される。
【００６５】
また、上記外部領域１８から遮水領域１７に水Ｗが浸透しようとすることは、上記各縦向き排水材１９，２１，２２の芯板材２３である遮水材２７により、より確実に防止される。更に、上記遮水領域１７に対し、その上面などから水Ｗの透水があった場合、この水Ｗは、上記各縦向き排水材１９，２１，２２のカバー体２５を透過して、上記遮水領域１７側の各排水溝２６に集水され、その自重により流下させられる。また、この流下により、上記各縦向き排水材１９，２１，２２の下端部に達した水Ｗは、前記と同様に、砂れき２８（横向き排水材３０）により集水されると共に下方に流下させられて排水される。
【００６６】
よって、上記遮水領域１７への透水がより確実に防止される。このため、この透水により遮水領域１７が脆弱化して地滑りなどの崩壊が生じる、ということは防止される。なお、上記遮水領域１７は、適度に湿った状態、つまり、最適含水比状態で好ましい強度が得られるため、できるだけ、この状態となるよう上記各縦向き排水材１９，２１，２２（横向き排水材３０）の仕様が定められる。
【００６７】
図２において、上記下地盤排水構造の施工方法につき説明する。
【００６８】
まず、上記下部領域２９の上面に上記砂れき２８（横向き排水材３０）を敷設する。また、上記基礎１２上に擁壁１１の第１段（最下段）となる壁ブロック１３を積み上げると共に、上記砂れき２８（横向き排水材３０）上に各縦向き排水材１９，２１，２２の第１段（最下段）となる排水ブロック２０をそれぞれ積み上げる。次に、この第１段の壁ブロック１３と排水ブロック２０との各上端にほぼ同じ高さとなるまで、上記下部領域２９（横向き排水材３０）の上面に第１層となる盛土１０を設置し、この際、ローラ等で締め固めをする。次に、上記第１段の壁ブロック１３の上端に上記補強材１４の一端部を連結し、この補強材１４の他端部側を上記第１層の盛土１０の上面に敷設する。また、上記補強材１４の他端部を上記各排水ブロック２０の上端に連結する。
【００６９】
次に、上記施工を繰り返し、上記盛土１０の高さが所望高さになれば、上記地盤排水構造の施工が終了する。
【００７０】
なお、以上は図示の例によるが、前記した各部材の材質はこれに限定されるものではない。また、地盤１は、上記地山２や盛土１０の他、補強土壁などの土構造物が含まれる。また、上記擁壁１１は各壁ブロック１３を一体的にした一体構造であってもよく、矢板など金属板などで構成してもよい。また、上記した盛土１０の最上面と上記各縦向き排水材１９，２１，２２の上端面とを全体的に覆うように他の盛土１０やアスファルト舗装を施してもよい。また、上記補強材１４は必要に応じて設ければ足り、必須のものではない。
【００７１】
また、上記各縦向き排水材１９，２１，２２は、それぞれ各排水ブロック２０を一体的にした一体構造であってもよく、芯板材２３の外部領域１８側の面にのみ、上記突条体２４を突設してもよい。また、上記各縦向き排水材１９，２１，２２は上下方向に長い帯形状など長尺材として、上記遮水領域１７の外縁部に沿った方向に所定ピッチで断続的に配置してもよい。また、上記縦向き排水材１９，２１，２２は多少傾斜していてもよい。
【００７２】
また、上記横向き排水材３０を設ける場合には、これを水平方向に長い帯形状など長尺材として、上記下部領域２９の上面に連続的に並設し、もしくは、所定ピッチで断続的に並設してもよい。また、上記縦向き排水材１９や横向き排水材３０はロール形状に巻回して収納可能な可撓性の長尺材であってもよい。
【００７３】
上記構成によれば、縦向き排水材１９と同構成の他の縦向き排水材２１，２２が設けられ、上記地盤１の平面視で、上記各縦向き排水材１９，２１，２２により上記遮水領域１７の少なくとも一部分が囲まれるようにされている。
【００７４】
このため、上記遮水領域１７のうち、より確実な遮水が望まれる一部分については、この一部分を上記のように各縦向き排水材１９，２１，２２により囲めばよい。
【００７５】
このようにすれば、地盤１の平面視で、上記外部領域１８から遮水領域１７の一部分に向かってさまざまな方向から地中を流れる水Ｗは、それぞれ上記各縦向き排水材１９，２１，２２の内部に集水されて流下させられた後、上記遮水領域１７の外部に向けて排水される。よって、水Ｗが上記遮水領域１７の一部分に浸透することが防止され、この一部分に水Ｗが溜まることによる脆弱化が防止される。この結果、上記遮水領域１７の一部分に地滑りなどの崩壊が生じたり、地震発生時に地盤が液状化したりする、ということが防止される。
【００７６】
また、前記したように、各縦向き排水材１９，２１，２２の少なくともいずれか１つが、予め所定形状に形成された形成品とされている。
【００７７】
このため、第１に、上記形成品とされた縦向き排水材１９，２１，２２の各部における空隙率や厚さ寸法を互いに均一にすることが容易にできる。よって、これら各縦向き排水材１９，２１，２２の各部における集水や、この集水後の水Ｗの流下の性能を均一にして、この水Ｗの排水ができるため、上記遮水領域１７の各部への水Ｗの浸透をより確実に防止することができる。
【００７８】
また、第２に、上記した遮水領域１７の各部への水Ｗの浸透の防止が無用に過度とならないよう上記各縦向き排水材１９，２１，２２自体の仕様を定めたり、複数の各縦向き排水材１９，２１，２２を準備して、これら各縦向き排水材１９，２１，２２を水平方向、および／もしくは縦方向で所定間隔をあけて設置したりすることも容易にできる。そして、このようにすれば、上記遮水領域１７を、できるだけ最適含水状態にして、この遮水領域１７を好ましい強度に保持させることができる。
【００７９】
更に、第３に、上記縦向き排水材１９を、予め所望の大きさや、ある重さ以下に形成することができるため、その取り扱いが容易にできる。よって、この縦向き排水材１９を用いた地盤排水構造の施工は、精度良く容易かつ安価にできる。
【００８０】
また、前記したように、各縦向き排水材１９，２１，２２が互いに連通して、これら縦向き排水材１９，２１，２２のいずれか一方の内部から他方の内部に水Ｗが流入可能となるようにしている。
【００８１】
このため、上記外部領域１８から縦向き排水材１９，２１，２２のいずれか一方の内部に集水された水Ｗは、この一方の内部から他方の内部に流入した後、上記遮水領域１７の外部に向けて排水可能とされる。よって、上記各縦向き排水材１９，２１，２２は上記水Ｗの排水につき互いに補完し合うことから、上記遮水領域１７に水Ｗが溜まることは、更に確実に防止される。
【００８２】
また、前記したように、遮水領域１７が盛土１０により形成されている。
【００８３】
ここで、上記盛土１０は、地山２の斜面部分３に宅地造成などとして多用される工法であって、通常、地山２に比べて脆弱性は高いものである。しかし、上記したように遮水領域１７は縦向き排水材１９，２１，２２により囲まれるため、上記遮水領域１７に水が溜まることは防止されて、その更なる脆弱化はより確実に防止される。
【００８４】
また、例えば、地山の斜面部分の一部分を切土して、これにより生じた切土により、上記斜面部分の傾斜方向で、上記一部分の下側に位置する斜面部分の他部分の上面に盛土１０を形成することは、一般的に多用されている便利な盛土施工方法である。
【００８５】
そして、上記構成の盛土１０が、上記のように切土により構成されたものであるとすると、この切土は別途に選定されたものではなく、現地発生土であるため、低透水性によりその上流側を止水して水位を上昇させてしまったり、これとは逆に、高透水性によりその透水が過度になされたりする可能性がある。しかも、この盛土１０は上記のように傾斜面３ａ上に形成されていて不安定である。よって、上記切土による盛土１０では、この盛土１０が地滑りにより崩壊を生じ、延いては、この盛土１０を支持している基礎地盤である下部領域２９が地滑りにより崩壊を生じるなど、不都合を発生するおそれがある。
【００８６】
しかし、上記遮水領域１７が盛土施工方法による盛土１０であるとしても、前記各縦向き排水材１９，２１，２２によれば、上記外部領域１８から遮水領域１７への水Ｗは、より確実に集水されて排水されるため、上記不都合の発生が防止される。
【００８７】
また、前記したように、各縦向き排水材１９，２１，２２の少なくともいずれか１つが面形状の排水材とされている。
【００８８】
このため、上記面形状とされた縦向き排水材１９，２１，２２は、その表面積を大きく採ることができる分、上記外部領域１８から遮水領域１７に向かう水Ｗの集水や排水がより効果的に行われる。
【００８９】
また、前記したように、各縦向き排水材１９，２１，２２の少なくともいずれか１つが、上記遮水領域１７側の面に対面する遮水材２７を備えている。
【００９０】
このため、上記外部領域１８から遮水領域１７に向かう水Ｗの遮水は、上記遮水材２７により、より確実に行われる。
【００９１】
また、前記したように、遮水領域１７の下方に隣接して上記地盤１の一部を構成する下部領域２９と、上記遮水領域１７との間に埋め込まれる横向き排水材３０を設け、この横向き排水材３０の一端部側である上記外部領域１８側に上記各縦向き排水材１９，２１，２２の少なくともいずれか１つの下部を連通させる一方、他端部側を水平方向もしくは斜め下方に向かって、上記各縦向き排水材１９，２１，２２から離れる方向に延出させ、上記各縦向き排水材１９，２１，２２を流下した水が上記横向き排水材３０をその一端部側から他端部側に流れ、この水Ｗが上記遮水領域１７の外部に向けて排水されるようにし、また、上記横向き排水材３０を、予め所定形状に形成された形成品としてもよい。
【００９２】
このようにすれば、上記縦向き排水材１９，２１，２２で集水され、流下させられた水Ｗは、上記した人工的な形成品である横向き排水材３０により排水される。よって、この横向き排水材３０によれば、前記各縦向き排水材１９，２１，２２から排水れた水Ｗが遮水領域１７の外部に、より確実に排水されることから、遮水領域１７に水Ｗが溜まることが更に確実に防止される。
【００９３】
また、地盤排水構造の施工方法であって、上記遮水領域１７と外部領域１８との間にその上方から上記各縦向き排水材１９，２１，２２を埋め込むようにしてもよく、この場合、矢板を打ち込むような打ち込み機３９を用いて上記縦向き排水材１９，２１，２２を埋め込むようにしてもよい。
【００９４】
上記構成によれば、例えば、上記遮水領域１７と外部領域１８とが連続する地山２である場合には、この地山２を掘削するなどの作業をできるだけ不要として、上記各縦向き排水材１９，２１，２２を直接地盤１に埋め込むことができる。よって、上記地盤排水構造の施工は、容易かつ安価にできる。一方、遮水領域１７が盛土１０である場合には、この遮水領域１７を設置した後に上記各縦向き排水材１９，２１，２２の設置ができるため、これら両設置作業の互いの干渉を避けて、これら作業を個別にすることができる。よって、上記施工を容易にすることができる。
【００９５】
また、前記したように、地盤排水構造の施工方法であって、上記各縦向き排水材１９，２１，２２の少なくともいずれか１つを上下方向で複数の排水ブロック２０により形成し、これら排水ブロック２０のうちの最下段である第１段の排水ブロック２０を縦向きに設置し、この排水ブロック２０の上端とほぼ同じ高さとなるよう上記遮水領域１７に盛土１０を設置し、次に、上記第１段の排水ブロック２０上に第２段の排水ブロック２０を縦向きに設置して、これら両排水ブロック２０，２０の対向縁部同士を互いに連結し、上記第２段の排水ブロック２０の上端とほぼ同じ高さとなるよう上記遮水領域１７に盛土１０を設置し、以下、上記排水ブロック２０と盛土１０との設置を繰り返して、盛土１０の上端が所望高さになるまで、上記排水ブロック２０と盛土１０との設置を繰り返すようにしている。
【００９６】
このため、上記排水ブロック２０を縦向きに設置すると共に、上記遮水領域１７に盛土１０を設置する場合、これら両設置作業は互いに干渉することなく順次円滑に進行できると共に、上記外部領域１８と盛土１０とにより上記排水ブロック２０を縦向き姿勢に順次保持させることができる。よって、上記施工方法によれば、上記施工は合理的かつ迅速に達成される。
【００９７】
以下の図５，６は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００９８】
本発明をより詳細に説明するために、その実施例２を添付の図５，６に従って説明する。
【００９９】
図５，６において、上記各縦向き排水材１９，２１，２２の少なくともいずれか１つは、上記遮水領域１７の外縁部に沿った方向に所定ピッチで配置される多数の縦向きのパイプ状排水材３３を備えている。このパイプ状排水材３３は高密度ポリエチレン製の樹脂円形パイプで、その径方向からの外力に剛性を有しているが、全体として可撓性を有している。
【０１００】
上記パイプ状排水材３３は螺旋形状に延びる骨格線材３４と、パイプ状排水材３３の軸方向でのこれら骨格線材３４の間の隙間を閉じるようこの骨格線材３４に一体的に形成される薄肉のパイプ材３５とを備えている。このパイプ材３５には、微小径の通水孔３６が多数形成されている。
【０１０１】
なお、上記横向き排水材３０を設ける場合には、これも、上記パイプ状排水材３３で構成してもよい。
【０１０２】
上記パイプ状排水材３３によれば、その径方向外方からの土圧に対し大きい強度を保持できて、その内孔を所定形状に保持させることが容易にできる。よって、上記パイプ状排水材３３で構成した各縦向き排水材１９，２１，２２や横向き排水材３０は、集水や排水の性能が良好に保たれる。
【０１０３】
また、上記したパイプ状排水材３３は、所望強度を保持したままで断面積を大きくすることが容易にできる。このため、このパイプ状排水材３３は、面形状排水材と比較して、集水や排水のための断面積をより大きくすることができ、これにより、これら集水や排水をより促進させることができる。
【０１０４】
地盤排水構造の施工方法において、上記各縦向き排水材１９，２１，２２を構成するパイプ状排水材３３は、上記遮水領域１７と外部領域１８との間に打ち込み機３９によって次のように埋め込まれる。
【０１０５】
即ち、上記打ち込み機３９は昇降可能なケーシングパイプ４０を備えている。このケーシングパイプ４０に上記パイプ状排水材３３が挿入されている。このパイプ状排水材３３の下端に先端アンカー４１が取り付けられ、この先端アンカー４１は上記ケーシングパイプ４０の下面にその下方から当接させられている。
【０１０６】
そして、上記ケーシングパイプ４０は、上記パイプ状排水材３３の下端が下部領域２９に達するまで、上記先端アンカー４１を押動しながら上記遮水領域１７と外部領域１８との間に打ち込まれる（図５中、パイプ状排水材３３を実線、ケーシングパイプ４０を二点鎖線図示）。次に、上記パイプ状排水材３３と先端アンカー４１とを残して、上記ケーシングパイプ４０のみが上昇させられる（図５中、一点鎖線）。これにより、上記パイプ状排水材３３の埋め込みが終了する。
【図面の簡単な説明】
【０１０７】
【図１】実施例１を示し、地盤の平面図である。
【図２】実施例１を示し、地盤の側面断面図である。
【図３】実施例１を示し、地盤の斜視図である。
【図４】実施例１を示し、縦向き排水材の部分斜視部分破断図である。
【図５】実施例２を示し、図２に相当する図である。
【図６】実施例２を示し、パイプ状排水材の図で、（１）は部分側面図、（２）は（１）のII−II線矢視断面図である。
【符号の説明】
【０１０８】
１    地盤
２    地山
３    斜面部分
１０  盛土
１１  擁壁
１３  壁ブロック
１３ａ  通水孔
１４  補強材
１７  遮水領域
１８  外部領域
１９  縦向き排水材
２０  排水ブロック
２１  縦向き排水材
２２  縦向き排水材
２３  芯板材
２４  突条体
２５  カバー体
２６  排水溝
２７  遮水材
２８  砂れき
２９  下部領域
３０  横向き排水材
３３  パイプ状排水材
Ａ    傾斜方向
Ｗ    水
【図１】
2010127038.tif 000003
【図２】
2010127038.tif 000004
【図３】
2010127038.tif 000005
【図４】
2010127038.tif 000006
【図５】
2010127038.tif 000007
【図６】
2010127038.tif 000008